(57)【要約】【課題】道具箱のコンパクト化を図り、運搬を容易にする。【解決手段】道具箱１は、一方の開閉体１１と他方の開閉体１２が、一側部でヒンジ１５を介して接続され、他側部側で、前記一方の開閉体１１と他方の開閉体１２とを相互に離接することにより開閉されるケース１０を備える。一方の開閉体１１及び他方の開閉体１２の少なくとも一方に、道具のヘッド部分３１ａ〜３１ｄが収納される。ケース１０に設けられる持ち運び用の把手２０が、ケース１０に取り外し可能に設けられ、かつ、取り外して道具のヘッド部分３１ａ〜３１ｄに接続して、道具を把持するグリップとしての機能を兼用している。【選択図】  図３
2019166586.tif 000002
【特許請求の範囲】
【請求項１】
道具のヘッド部分が収納されるケースと、
前記ケースに設けられる持ち運び用の把手と、
を有し、
前記把手が、前記ケースに取り外し可能に設けられ、前記ケースから取り外して前記道具のヘッド部分に接続され、前記道具のグリップとして使用可能であることを特徴とする道具箱。
【請求項２】
前記ケースは、一方の開閉体と他方の開閉体が、一側部でヒンジを介して接続され、前記一方の開閉体及び他方の開閉体の少なくとも一方に、前記道具のヘッド部分が収納される構成であり、前記把手が、前記ケースの他側部側に設けられている請求項１記載の道具箱。
【請求項３】
前記ケースは、前記ヘッド部分を複数収納可能である請求項１又は２記載の道具箱。
【請求項４】
前記把手の長手方向の一端に、複数枚並列に設けられたグリップ側連結板を備え、前記グリップ側連結板は、周縁に回り止め用溝部が複数箇所に形成されていると共に、前記グリップ側連結板に、ロックピン挿入用のグリップ側貫通孔が設けられている請求項１〜３のいずれか１に記載の道具箱。
【請求項５】
長手方向一端側に、複数枚並列に設けられたグリップ側連結板を備え、前記グリップ側連結板は、周縁に回り止め用溝部が複数箇所に形成されていると共に、前記グリップ側連結板に、ロックピン挿入用のグリップ側貫通孔を有し、道具のヘッド部分が収納される道具箱に取り外し可能に設けられ、取り外して前記ヘッド部分に接続してグリップとして使用されることを特徴とする道具箱の把手。
【請求項６】
道具箱に収納される道具のヘッド部分であって、
複数枚並列に設けられていると共に、ロックピン挿入用のヘッド側貫通孔が形成されているヘッド側連結板と、
前記並列配置された複数枚のヘッド側連結板間に掛け渡される回り止めピンと、
を有し、
請求項５記載の道具箱の把手と組み合わせて用いられ、
前記道具箱の把手における前記グリップ側連結板のいずれかの回り止め用溝部に、前記回り止めピンを係合させ、かつ、前記ヘッド側貫通孔を前記グリップ側貫通孔に連通させた状態でロックピンが挿通されて固定されることを特徴とする道具のヘッド部分。
【発明の詳細な説明】
【技術分野】
【０００１】
本発明は、道具箱、道具箱の把手及び道具箱に収納される道具のヘッド部分に関する。
【背景技術】
【０００２】
道具箱は、種々の道具、例えば農具や工具などを内部に収納し、当該道具を使用する場所へ運搬するために用いられる。そのため、道具箱には人が手で持ち易くするための把手が設けられているのが一般的であり、例えば特許文献１や特許文献２に開示されたものがある。
【０００３】
特許文献１は、電動工具等を収納する収納ケースに関し、内容物の取り出しが容易となるように小物入れを工夫すると共に、把手を持って運ぶときに小物入れが脱落せず安全に運搬できるようにしたことを特徴としている。
【０００４】
特許文献２は、蓋側ケースに対して回動して開閉する蓋体を備えると共に、蓋体の回動を規制する中央ラッチを設け、蓋体を確実に係止することを特徴とした電動工具収納ケースに関するものであり、ケースの上部に設けられた把手を把持して持ち運び可能となっている。
【先行技術文献】
【特許文献】
【０００５】
【特許文献１】特開２０１８−１２１４４号公報
【特許文献２】特開２０１７−７０４７号公報
【発明の概要】
【発明が解決しようとする課題】
【０００６】
これらの道具箱に収納される道具は、内部にそのまま収納されるものが多い。しかしながら、鍬、スコップ、レーキなどのように柄（グリップ）の長さが長い場合、それらを道具箱に収めるには道具箱の容積が相当大きくならざるを得ない。また、グリップを中途で折りたためるようにして収納したり、あるいは、グリップと道具のヘッド部分（グリップの先端に設けられている掘削、破砕、代掻き等の所定の機能を果たす部分）とを分離できるようにして収納したりすることも考えられるが、いずれにしてもヘッド部分の種類に対応した数だけグリップを準備する必要がある。
【０００７】
よって、例えば、鍬、スコップ及びレーキと３種類の農具を収納する場合に、グリップをヘッド部分から分離可能としたとしても、例えば、鍬のヘッド部分とスコップのヘッド部分とでは、直線状のグリップに対する向きが同じではなく、それぞれに対応するグリップを道具箱内に収納する必要がある。そのため、このような構成としても、分離せずに収納する道具箱と比較して、長さは短くできるものの収納容積に大差はない。
【０００８】
本発明は上記に鑑みなされたものであり、所定の道具を収納する場合に、従来と比較して収納容積を小さくしてコンパクト化を図ることができ、もって運搬を容易化し、さらに、道具の使用時において不便を来すことのない道具箱、道具箱の把手及び道具箱に収納する道具のヘッド部分を提供することを課題とする。
【課題を解決するための手段】
【０００９】
上記課題を解決するため、本発明の道具箱は、
道具のヘッド部分が収納されるケースと、
前記ケースに設けられる持ち運び用の把手と、
を有し、
前記把手が、前記ケースに取り外し可能に設けられ、前記ケースから取り外して前記道具のヘッド部分に接続され、前記道具のグリップとして使用可能であることを特徴とする。
【００１０】
前記ケースは、一方の開閉体と他方の開閉体が、一側部でヒンジを介して接続され、前記一方の開閉体及び他方の開閉体の少なくとも一方に、前記道具のヘッド部分が収納される構成であり、前記把手が、前記ケースの他側部側に設けられていることが好ましい。
前記ケースは、前記ヘッド部分を複数収納可能であることが好ましい。
前記把手の長手方向の一端に、複数枚並列に設けられたグリップ側連結板を備え、前記グリップ側連結板は、周縁に回り止め用溝部が複数箇所に形成されていると共に、前記グリップ側連結板に、ロックピン挿入用のグリップ側貫通孔が設けられていることが好ましい。
【００１１】
本発明の道具箱の把手は、長手方向一端側に、複数枚並列に設けられたグリップ側連結板を備え、前記グリップ側連結板は、周縁に回り止め用溝部が複数箇所に形成されていると共に、前記グリップ側連結板に、ロックピン挿入用のグリップ側貫通孔を有し、道具のヘッド部分が収納される道具箱に取り外し可能に設けられ、取り外して前記ヘッド部分に接続してグリップとして使用されることを特徴とする。
【００１２】
本発明の道具のヘッド部分は、道具箱に収納される道具のヘッド部分であって、
複数枚並列に設けられていると共に、ロックピン挿入用のヘッド側貫通孔が形成されているヘッド側連結板と、
前記並列配置された複数枚のヘッド側連結板間に掛け渡される回り止めピンと、
を有し、
請求項５記載の道具箱の把手と組み合わせて用いられ、
前記道具箱の把手における前記グリップ側連結板のいずれかの回り止め用溝部に、前記回り止めピンを係合させ、かつ、前記ヘッド側貫通孔を前記グリップ側貫通孔に連通させた状態でロックピンが挿通されて固定されることを特徴とする。
【発明の効果】
【００１３】
本発明によれば、運搬用として用いられる道具箱の把手が、当該道具箱に取り外し可能に設けられており、道具箱内に収納されている道具のヘッド部分のグリップとしても使用可能となっている。よって、この把手を用いることで、道具箱内において少なくとも１つのヘッド部分に対応するグリップの収納スペースを省くことができ、道具箱全体の収納容積を小さくし、コンパクト化できる。それにより、道具箱の運搬がより容易となる。特に、道具箱は、その内部に、複数のヘッド部分を収納可能な構成とし、かつ、道具箱の把手が、複数のヘッド部分のグリップとして使用できるものであることが好ましく、これにより、さらなる収納容積の効率化、コンパクト化に寄与できる。
【００１４】
また、把手の長手方向一端側に設けたグリップ側連結板は、周縁に回り止め用溝部が複数箇所に形成されている。このため、道具のヘッド部分に設けた回り止めピンを係合させる回り止め用溝部を、ヘッド部分の種類に合わせて選択でき、一つの把手を複数種類のヘッド部分のグリップとして用いることができる。これにより、道具箱内のグリップの収納スペースのさらなる低減を図ることができる。
【図面の簡単な説明】
【００１５】
【図１】本発明の一の実施形態に係る道具箱の全体的な斜視図である。
【図２】（ａ）は図１の正面図、（ｂ）は（ａ）の右側面図、（ｃ）は（ａ）の拡大した左側面図である。
【図３】（ａ）は、ケースを開いた状態を示す斜視図で、（ｂ）は、ロックピンの斜視図である。
【図４】道具のヘッド部分や把手を示す斜視図である。
【図５】道具のヘッド部分に把手を取り付けた状態を示す斜視図である。
【図６】（ａ）は、把手の正面図で、（ｂ）は、鍬のヘッド部分を示す側面図で、（ｃ）は、鍬のヘッド部分に把手を取り付けた状態を示す側面図である。
【図７】（ａ）は、スコップのヘッド部分を示す側面図で、（ｂ）は、スコップのヘッド部分に把手を取り付けた状態を示す側面図である。
【発明を実施するための形態】
【００１６】
以下、図面に示した実施形態に基づき本発明をさらに詳細に説明する。図１は道具箱の全体を示し、図２は道具箱の正面と側面を示し、図３は道具箱を開いた状態を示す図である。図４は道具箱に収納される道具のヘッド部分と前記ヘッド部分に取り付けるグリップを示す図である。なお、収納対象の道具の種類は限定されるものではなく、種々の農具、工具等を対象とすることができる。本実施形態では、図３等に示したように、主に農具として用いられる道具を収納対象としている。
【００１７】
本実施形態に係る道具箱１は、図１に示すように全体的に直方体のケース１０を形成している。ケース１０を構成する第１開閉体１１と第２開閉体１２が、一側部１０ａでヒンジ１５を介して接続されている。よって、ヒンジ１５が設けられている一側部１０ａに対向する他側部１０ｂ側において、第１開閉体１１と第２開閉体１２とを相互に離接することにより、ヒンジ１５を中心として開閉される。
【００１８】
ケース１０は、図３に示すように、第１開閉体１１と第２開閉体１２が開いた状態で、第１開閉体１１側に形成された収納部１１ａ〜１１ｃに、各種道具のヘッド部分３１ａ〜３１ｃ（鍬、スコップ、レーキの各ヘッド部分３１ａ，３１ｂ，３１ｃ）が収納される。本実施形態では、第２開閉体１２側にも複数の収納部１２ａ〜１２ｄが形成されており、収納部１２ａにノコギリのヘッド部分（鋸刃）３１ｄが収納されている。また、他の収納部１２ｂ，１２ｃには、それぞれグリップとヘッド部分とに構造上分離できないトング３０ａ、あるいは、小型の道具である剪定バサミ３０ｂが収納されている。なお、収納部１１ａ〜１１ｃ、１２ａ〜１２ｄは、第１開閉体１１又は第２開閉体１２の裏面側の凹部内に装填されたスペーサ部材１３，１４に、収納対象の各ヘッド部分３１ａ〜３１ｄや道具自体（トング３０ａや剪定バサミ３０ｂ）の外形に合わせて形成された凹状溝から構成される。
【００１９】
なお、本実施形態では、第１開閉体１１と第２開閉体１２の両方に収納部１１ａ〜１１ｃ、１２ａ〜１２ｄを設けているが、いずれか一方のみに収納部を設け、他方を単なる蓋部材としてもよい。
【００２０】
ここで、本実施形態の道具箱１は、図１及び図２に示すように、第１開閉体１１と第２開閉体１２を閉じた状態のケース１０を持ち運びするために、把手２０が前記ケース１０の他側部１０ｂ側に設けられている。
【００２１】
より詳しく説明すると、第１開閉体１１には、把手２０の両端を固定するための第１及び第２ケース側固定用連結板１６ａ，１７ａが、ケース１０の他側部１０ｂ側において、把手２０の両端の間隔に合わせて所定間隔をおいて突出形成されている（図３参照）。第１及び第２ケース側固定用連結板１６ａ，１７ａにはそれぞれケース側固定用貫通孔１８が設けられている（図２（ａ），（ｃ）参照）。
【００２２】
また、第２開閉体１２には、把手２０の両端を固定するための第３及び第４ケース側固定用連結板１６ｂ，１７ｂが、ケース１０の他側部１０ｂ側において、第１開閉体１１側に設けられた第１及び第２ケース側固定用連結板１６ａ，１７ａと同様の間隔をおいて突出形成されている（図３参照）。第３及び第４ケース側固定用連結板１６ｂ，１７ｂにもそれぞれケース側固定用貫通孔１８が設けられている（図２（ａ），（ｃ）、図３参照）。
【００２３】
把手２０は、長手方向一端側（図２（ａ）では左側の端部）にグリップ側連結板２１，２１を備えている。グリップ側連結板２１，２１は、把手２０の厚み方向に間隔をおいて並列配置され、かつ、把手２０の長手方向に突出するように設けられた２枚の金属板から構成されている。また、各グリップ側連結板２１，２１は、把手２０の長手方向一端側に位置する第１及び第３ケース側固定用連結板１６ａ，１６ｂに取り付けるためのグリップ側貫通孔２３ａが貫通形成されている（図２（ａ），（ｃ）、図３参照）。
【００２４】
把手２０の長手方向他端側（図２（ａ）では右側の端部）に、把手２０の長手方向に対して略直交する方向に突出する把手側固定用連結板２２が設けられている。この把手側固定用連結板２２には、把手側固定用貫通孔２３ｂが貫通形成されており、第２及び第４ケース側固定用連結板１７ａ，１７ｂ間に固定される（図２（ｂ）、図３参照）。具体的には、第１開閉体１１と第２開閉体１２を閉じることにより、第２及び第４ケース側固定用連結板１７ａ，１７ｂ間に把手２０の長手方向他端側の把手側固定用連結板２２を挟む。この時、把手側固定用連結板２２の把手側固定用貫通孔２３ｂが、第２及び第４ケース側固定用連結板１７ａ，１７ｂのケース側固定用貫通孔１８，１８に連通するように合わせる。次いで、ロックピン３２をケース側固定用貫通孔１８，１８と把手側固定用貫通孔２３ｂに挿通してロックする。
【００２５】
一方、把手２０の長手方向一端側では、図２（ｃ）に示すように、第１及び第３ケース側固定用連結板１６ａ，１６ｂが２枚のグリップ側連結板２１，２１の間になるように挿入配置される。この時、グリップ側連結板２１，２１のグリップ側貫通孔２３ａ，２３ａが、第１及び第３ケース側固定用連結板１６ａ，１６ｂのケース側固定用貫通孔１８，１８に連通するように合わせる。その後は、上記と同様に、ロックピン３２をグリップ側貫通孔２３ａ，２３ａとケース側固定用貫通孔１８，１８に挿通してロックする。
【００２６】
ロックピン３２は、本実施形態では、図３（ｂ）に示すように、シャフト３２ｂと、シャフト３２ｂの一端に、該シャフト３２ｂよりも大径のストッパ部３２ａとを有して構成されている。シャフト３２ｂの他端部には、一対のボール３２ｃ，３２ｃが互いに反対側の位置で外周面から突出している。前記一対のボール３２ｃ，３２ｃはシャフト３２ｂの内部に配設された図示しないスプリングにより外方向に付勢されている。ストッパ部３２ａには、リング３２ｄが係合されている。
【００２７】
したがって、ロックピン３２を、グリップ側貫通孔２３ａ，２３ａとケース側固定用貫通孔１８，１８、及び、ケース側固定用貫通孔１８，１８と把手側固定用貫通孔２３ｂにそれぞれ押し込むと、前記の一対のボール３２ｃ，３２ｃがこれらの貫通孔の内周面によって内方に押圧されて円滑に挿入される一方、ボール３２ｃ，３２ｃがこれらの貫通孔を通り過ぎると外方に突出する。これにより、ストッパ部３２ａとボール３２ｃ，３２ｃとにより、把手２０の一端側では、グリップ側連結板２１，２１と第１及び第３ケース側固定用連結板１６ａ，１６ｂとが挟持され、把手２０の他端側では、把手側固定用連結板２２と第２及び第４ケース側固定用連結板１７ａ，１７ｂとが挟持されてロックされる。ロックピン３２を外すときは、リング３２ｄを持って引っ張ると、前記の一対のボール３２ｃ，３２ｃが前記スプリングの付勢力に抗して各貫通孔の内周面によって内部へ押圧されるため、各貫通孔から引き抜くことができる。
【００２８】
なお、把手２０は、人が掴み易く、持ち易くするために、図１及び図３に示すように、ケース１０に取り付けた状態で、ケース１０寄りの側縁２０ａが手指を掛けやすくするように丸みを帯びた形状とすることが好ましい。
【００２９】
本実施形態において、把手２０は、ケース１０から取り外して道具のヘッド部分３１ａ〜３１ｃに接続することで、道具を把持するためのグリップとして用いられる。したがって、グリップとなる把手２０に、ヘッド部分３１ａ〜３１ｄのいずれかとを組み合わせた形態が一つの道具となる。把手２０を道具のグリップとして用いるため、把手２０には、上記のように、長手方向一端側に、ヘッド部分３１ａ〜３１ｄに連結するためのグリップ側連結板２１，２１を備えている。各グリップ側連結板２１，２１の周縁には、後述するヘッド部分３１ａ〜３１ｄの回り止めピン３５ａ，３５ｂが係合される回り止め用溝部２４ａ〜２４ｃが複数箇所に形成されている。
【００３０】
次に、道具としての鍬、スコップ、レーキ及びノコギリの各ヘッド部分３１ａ〜３１ｄについて詳しく説明する。
鍬、スコップ、レーキ及びノコギリの各ヘッド部分３１ａ〜３１ｄは、図４に示すように、グリップとなる把手２０を連結するためのヘッド側連結板３３を備えている。ヘッド側連結板３３は、ヘッド部分３１ａ〜３１ｄの後端部に複数枚並列に設けられており、ロックピン挿入用のヘッド側貫通孔３４が形成されている。本実施形態では２枚のヘッド側連結板３３，３３が形成されている。
【００３１】
さらに、ヘッド部分３１ａ〜３１ｄは、回り止めピン３５ａ，３５ｂが並列配置された２枚のヘッド側連結板３３，３３の間に掛け渡されている。本実施形態では２本の回り止めピン３５ａ，３５ｂを設けているが、回り止めの機能を果たすことができる限り、その数は限定されない。
【００３２】
ヘッド部分３１ａ〜３１ｄは、２本の回り止めピン３５ａ，３５ｂを把手２０のグリップ側連結板２１に形成された所定の回り止め用溝部２４ａ〜２４ｃに係合させる。なお、回り止めピン３５ａ，３５ｂを所定の回り止め用溝部２４ａ〜２４ｃに係合させると、ヘッド側貫通孔３４がグリップ側貫通孔２３ａと連通するように、これらの形成位置が設定されている。次いで、ロックピン３２をヘッド側貫通孔３４とグリップ側貫通孔２３ａに挿通することで、各道具のヘッド部分３１ａ〜３１ｄが把手２０に連結固定される。
【００３３】
図５は、鍬、スコップ、レーキ及びノコギリの各ヘッド部分３１ａ，３１ｂ，３１ｃ，３１ｄのそれぞれに、把手２０を連結固定した道具として使用可能な状態を示しており、これにより、グリップとなる把手２０を持って作業が可能になる。
【００３４】
一例として、鍬のヘッド部分３１ａに把手２０をグリップとして連結固定する場合について図６等を参照してより詳細に説明する。
まず、把手２０は、図６（ａ），（ｃ）に示すように、丸みを帯びている側縁２０ａを下に向けた状態でグリップとして取り付ける。
把手２０は、図６（ａ）に示すように、先端部に位置するグリップ側連結板２１の周縁に、３か所の回り止め用溝部２４ａ，２４ｂ，２４ｃが形成されている。なお、回り止め用溝部２４ｃの入り口には抜け止めの突起２６を形成している。さらに、グリップ側連結板２１は、上記のようにロックピン３２を挿通するためのグリップ側貫通孔２３ａが形成されている。
【００３５】
鍬のヘッド部分３１ａは、図４及び図６（ｂ）に示すように、２枚並列に設けたヘッド側連結板３３，３３を備えており、ロックピン挿入用のヘッド側貫通孔３４，３４が形成されている。また、２本の回り止めピン３５ａ，３５ｂが、２枚のヘッド側連結板３３，３３の間に掛け渡されている。
【００３６】
鍬３０ａのヘッド部分３１ａに把手２０をグリップとして連結固定する場合、図６（ｃ）に示すように、把手２０の先端部のグリップ側連結板２１を、鍬３０ａのヘッド部分３１ａに備えた２枚並列のヘッド側連結板３３，３３の間に挿入させる。なお、図６（ｃ）は、ヘッド側連結板３３，３３の間を通る仮想面から紙面方向に視た図となっている。
【００３７】
ヘッド側連結板３３の一方の回り止めピン３５ａは、グリップ側連結板２１の回り止め用溝部２４ｃに挿入して係合させ、他方の回り止めピン３５ｂはグリップ側連結板２１の回り止め用溝部２４ｂに係合させる。これにより、ロックピン挿入用のヘッド側貫通孔３４がグリップ側貫通孔２３ａに連通する。次いで、ロックピン３２をヘッド側貫通孔３４とグリップ側貫通孔２３ａに挿通することで、把手２０がグリップとして鍬３０ａのヘッド部分３１ａに連結固定される。
【００３８】
この結果、鍬のヘッド部分３１ａの刃先方向が、グリップとなっている把手２０と略直交する方向にセットされる。なお、回り止めピン３５ａ，３５ｂの形成位置、グリップ側連結孔２３ａや回り止め用溝部２４ａ〜２４ｃの形成位置等は、上記のように、回り止めピン３５ａ，３５ｂを所定の回り止め用溝部２４ｂ，２４ｃに係合させることで、ヘッド部分３１ａと把手２０とが略直交する位置関係となるように設定されている。
【００３９】
次に、把手２０に、該把手２０の長手方向の延長線上に沿って取り付けられるスコップのヘッド部分３１ｂの場合について説明する。把手２０は、図７（ｂ）に示すように、丸みを帯びている側縁２０ａを下に向けた状態でグリップとして取り付ける。
【００４０】
スコップのヘッド部分３１ｂは、図７（ａ）に示すように、２枚並列に設けたヘッド側連結板３３，３３を備えており、ロックピン挿入用のヘッド側貫通孔３４，３４が形成されている。また、２本の回り止めピン３５ａ，３５ｂが、２枚のヘッド側連結板３３，３３の間の所定の位置に掛け渡されている。スコップのヘッド部分３１ｂの先端方向は、図７（ｃ）に示すように、グリップとなる把手２０の長手方向に沿った方向であるため、２本の回り止めピン３５ａ，３５ｂの位置は、上記の鍬のヘッド部分３１ａの場合とは異なる。
【００４１】
スコップのヘッド部分３１ｂに把手２０をグリップとして連結固定する場合、図７（ｂ）に示すように、把手２０の先端部のグリップ側連結板２１が、スコップのヘッド部分３１ｂの２枚のヘッド側連結板３３，３３の間に挿入される。なお、図７（ｂ）は、ヘッド側連結板３３，３３の間を通る仮想面から紙面方向に視た図となっている。
【００４２】
この時、ヘッド側連結板３３の回り止めピン３５ｂがグリップ側連結板２１の回り止め用溝部２４ｃに挿入され、また、回り止めピン３５ａがグリップ側連結板２１の回り止め用溝部２４ｂに係合される。これにより、ロックピン挿入用のヘッド側貫通孔３４は、グリップ側貫通孔２３ａに連通する。なお、回り止めピン３５ａ，３５ｂを上記の回り止め用溝部２４ｃ，２４ｄに係合させれば、ヘッド側貫通孔３４とグリップ側貫通孔２３ａとが連通する位置関係となるように設定されている。次いで、ロックピン３２をヘッド側貫通孔３４とグリップ側貫通孔２３ａに挿通することで、把手２０がグリップとしてスコップのヘッド部分３１ｂに連結固定される。
【００４３】
上記の構成により、本実施形態の道具箱１は、道具箱１を持ち運ぶための把手２０が複数の道具３０のヘッド部分３１と簡単に脱着可能となる共通のグリップとして使用される構成である。これにより、道具箱１０内の収納スペースを、グリップを収納しなくても済む分、省スペース化することができ、道具箱１０のコンパクト化を図ることができる。また、把手２０のグリップ側連結板２１は、周縁に回り止め用溝部が複数箇所に形成されているため、係合箇所の選択により、配設向きの異なるヘッド部分であっても、共通の把手２０を利用することができる。
【符号の説明】
【００４４】
１  道具箱
１０  ケース
１１  第１開閉体
１２  第２開閉体
１５  ヒンジ
１６ａ，１６ｂ，１７ａ，１７ｂ  ケース側固定用連結板
１８  ケース側固定用貫通孔
２０  把手
２１  グリップ側連結板
２２  把手側固定用連結板
２３ａ  グリップ側貫通孔
２４ａ，２４ｂ，２４ｃ  回り止め用溝部
３１ａ，３１ｂ，３１ｃ，３１ｄ  ヘッド部分
３２  ロックピン
３３  ヘッド側連結板
３４  ヘッド側貫通孔
３５ａ，３５ｂ  回り止めピン
【図１】
2019166586.tif 000003
【図２】
2019166586.tif 000004
【図３】
2019166586.tif 000005
【図４】
2019166586.tif 000006
【図５】
2019166586.tif 000007
【図６】
2019166586.tif 000008
【図７】
2019166586.tif 000009